(57)【要約】      （修正有）【課題】異なる伝送速度のＵＳＢ２．０コネクタ及びＵＳＢ３．０コネクタを具え、これにより異なる伝送速度に対応できる様にしたＵＳＢコネクタを提供する。【解決手段】ＵＳＢコネクタは、前端が下向きに延伸されてストッパ部１３０を形成し、該ストッパ部に第１案内角１３１を具えたコネクタ本体１００と、その上に複数の第１コンタクトパッド２１０及び複数の第２コンタクトパッド２２０を具えた基板を包含する。該ＵＳＢコネクタは、ＵＳＢ２．０プラグ或いはＵＳＢ３．０プラグの差込みに供される。【選択図】図２
0003181578.tif 000002
【実用新案登録請求の範囲】
【請求項１】
USBコネクタにおいて、
コネクタ本体であって、該コネクタ本体は、複数の開放溝、複数の第１端子及び複数の第２端子を具え、各二つの該開放溝間は溝柱を有して互いに隔てられ、そのうち、該複数の第１端子の一端は、それぞれ該複数の溝柱の前方に置かれ、且つその側辺はそれぞれ下向きに折り曲げられた後にさらに左向き或いは右向きに折り曲げられて、第１ソルダー端を形成し、該複数の第２端子の一端は、それぞれ該複数の開放溝中を貫通し且つ該開放溝より露出し、他端は下向きに折り曲げられた後にさらに水平方向に延伸されて、第２ソルダー端を形成し、且つ該コネクタ本体の前端は下向きに延伸されてストッパ部を形成し、該ストッパ部に第１案内角を具える、上記コネクタ本体と、
基板であって、該基板は、その上に複数の第１コンタクトパッドと複数の第２コンタクトパッドを具え、そのうち、該複数の第１コンタクトパッドは、該基板前端の該第１ソルダー端に対応する位置に位置し、こうして該複数の第１端子の接続に供されて、該複数の第２コンタクトパッドは、該基板後端の、該第２ソルダー端に対応する位置に位置し、こうして該複数の第２端子の接続に供されて、USBコネクタを形成する、上記基板と、
を包含することを特徴とする、USBコネクタ。
【請求項２】
請求項１記載のUSBコネクタにおいて、該基板は、チップオンボード（ＣＯＢ）基板或いはプリント回路板とされることを特徴とする、USBコネクタ。
【請求項３】
請求項１記載のUSBコネクタにおいて、該複数の第１コンタクトパッド、第１ソルダー端、複数の第１端子の数量はいずれも四個とされて、USB2.0コネクタを構成し、該複数の第２コンタクトパッド、第２ソルダー端、複数の開放溝及び複数の第２端子の数量はいずれも５個とされて、結合後にUSB3.0コネクタを構成することを特徴とする、USBコネクタ。
【請求項４】
請求項１記載のUSBコネクタにおいて、該基板上に、USBコントローラー及び少なくとも一つのフラッシュメモリをさらに具え、それぞれ該複数の第１コンタクトパッド及び複数の第２コンタクトパッドに接続されることを特徴とする、USBコネクタ。
【請求項５】
請求項１記載のUSBコネクタにおいて、各該第２端子の一端は、該開放溝より露出した後に、さらに上向きに折り曲げられた後に、さらに下向きに折り曲げられ、且つ該第１端子の前端にさらに第２案内角を具え、且つ該第１案内角及び第２案内角はそれぞれ３０度とされることを特徴とする、USBコネクタ。
【請求項６】
USBコネクタにおいて、
コネクタ本体であって、該コネクタ本体は、複数の開放溝、複数の第１端子及び複数の第２端子を具え、各二つの該開放溝間は溝柱を有して互いに隔てられ、そのうち、該複数の第１端子の一端は、それぞれ該複数の溝柱の下方に置かれ、且つ該複数の溝柱より露出した後にさらに前向きに延伸され、他端はそれぞれ下向きに折り曲げられた後にさらに水平方向に延伸されて、第１ソルダー端を形成し、該複数の第２端子の一端は、該複数の開放溝中に通され且つ該開放溝より露出し、他端はそれぞれ下向きに折り曲げられた後にさらに水平方向に延伸されて第２ソルダー端を形成し、且つ該コネクタ本体の前端は下向きに延伸されてストッパ部を形成し、該ストッパ部に第１案内角を具えている、上記コネクタ本体と、
基板であって、該基板は、その上に複数の第１コンタクトパッドと複数の第２コンタクトパッドを具え、そのうち、該複数の第１コンタクトパッドと該複数の第２コンタクトパッドは交錯配置を呈し、これによりそれぞれ該複数の第１端子及び該第２端子との接続に供され、こうしてUSBコネクタを形成する、上記基板と、
を包含することを特徴とする、USBコネクタ。
【請求項７】
請求項６記載のUSBコネクタにおいて、該基板は、チップオンボード（ＣＯＢ）基板或いはプリント回路板とされることを特徴とする、USBコネクタ。
【請求項８】
請求項６記載のUSBコネクタにおいて、該複数の第１コンタクトパッド、第１ソルダー端、複数の第１端子の数量はいずれも四個とされて、USB2.0コネクタを構成し、該複数の第２コンタクトパッド、第２ソルダー端、複数の開放溝及び複数の第２端子の数量はいずれも５個とされて、結合後にUSB3.0コネクタを構成することを特徴とする、USBコネクタ。
【請求項９】
請求項６記載のUSBコネクタにおいて、該基板上に、USBコントローラー及び少なくとも一つのフラッシュメモリをさらに具え、それぞれ該複数の第１コンタクトパッド及び複数の第２コンタクトパッドに接続されることを特徴とする、USBコネクタ。
【請求項１０】
請求項６記載のUSBコネクタにおいて、各該第２端子の一端は、該開放溝より露出した後に、さらに上向きに折り曲げられた後に、さらに下向きに折り曲げられ、且つ該第１端子の前端にさらに第２案内角を具え、且つ該第１案内角及び第２案内角はそれぞれ３０度とされることを特徴とする、USBコネクタ。
【請求項１１】
USBコネクタにおいて、
コネクタ本体であって、該コネクタ本体は、複数の開放溝、複数の第１端子及び複数の第２端子を具え、各二つの該開放溝間は溝柱を有して互いに隔てられ、そのうち、該複数の第１端子の一端は、それぞれ該複数の溝柱の前方に置かれ、且つその側辺がそれぞれ下向きに折り曲げられた後に、さらに左向き或いは右向きに折り曲げられて、第１ソルダー端を形成し、該複数の第２端子の一端は、それぞれ該複数の開放溝中に通され、且つ該開放溝より露出し、他端はそれぞれ下向きに折り曲げられた後に、さらに水平方向に延伸されて、第２ソルダー端を形成し、且つ該コネクタ本体の前端に第１案内角を具える、上記コネクタ本体と、
基板であって、該基板は、その上に複数の第１コンタクトパッドと複数の第２コンタクトパッドを具え、そのうち、該複数の第１コンタクトパッドは該基板前端の、該第１ソルダー端に対応する位置に位置して、該複数の第１端子との接続に供され、該複数の第２コンタクトパッドは、該基板後端の該第２ソルダー端に対応する位置に位置し、これにより該複数の第２端子との接続に供され、こうしてUSBコネクタを形成する、上記基板と、
を包含することを特徴とする、USBコネクタ。
【請求項１２】
請求項１１記載のUSBコネクタにおいて、該基板は、チップオンボード（ＣＯＢ）基板或いはプリント回路板とされることを特徴とする、USBコネクタ。
【請求項１３】
請求項１１記載のUSBコネクタにおいて、該複数の第１コンタクトパッド、第１ソルダー端、複数の第１端子の数量はいずれも四個とされて、USB2.0コネクタを構成し、該複数の第２コンタクトパッド、第２ソルダー端、複数の開放溝及び複数の第２端子の数量はいずれも５個とされて、結合後にUSB3.0コネクタを構成することを特徴とする、USBコネクタ。
【請求項１４】
請求項１１記載のUSBコネクタにおいて、該基板上に、USBコントローラー及び少なくとも一つのフラッシュメモリをさらに具え、それぞれ該複数の第１コンタクトパッド及び複数の第２コンタクトパッドに接続されることを特徴とする、USBコネクタ。
【請求項１５】
請求項１１記載のUSBコネクタにおいて、各該第２端子の一端は、該開放溝より露出した後に、さらに上向きに折り曲げられた後に、さらに下向きに折り曲げられ、且つ該第１端子の前端にさらに第２案内角を具え、且つ該第１案内角及び第２案内角はそれぞれ３０度とされることを特徴とする、USBコネクタ。
【請求項１６】
USBコネクタにおいて、
コネクタ本体であって、該コネクタ本体は、複数の開放溝、複数の第１端子及び複数の第２端子を具え、各二つの該開放溝間は溝柱を有して互いに隔てられ、そのうち、該複数の第１端子の一端は、それぞれ該複数の溝柱の下方に置かれ、且つ該複数の溝柱より露出した後に、さらに前向きに延伸され、他端は、それぞれ下向きに折り曲げられた後に、さらに水平方向に延伸されて、第１ソルダー端を形成し、該複数の第２端子の一端は、それぞれ該複数の開放溝に通され、且つ該開放溝より露出し、他端は、それぞれ下向きに折り曲げられた後にさらに水平方向に延伸されて、第２ソルダー端を形成し、且つ該コネクタ本体の前端に第１案内角を具える、上記コネクタ本体と、
基板であって、該基板は、その上に複数の第１コンタクトパッドと複数の第２コンタクトパッドを具え、そのうち、該複数の第１コンタクトパッドと該複数の第２コンタクトパッドは交錯配置を呈し、それぞれ該複数の第１端子及び該複数の第２端子との接続に供され、こうしてUSBコネクタを形成する、上記基板と、
を包含することを特徴とする、USBコネクタ。
【請求項１７】
請求項１６記載のUSBコネクタにおいて、該基板は、チップオンボード（ＣＯＢ）基板或いはプリント回路板とされることを特徴とする、USBコネクタ。
【請求項１８】
請求項１６記載のUSBコネクタにおいて、該複数の第１コンタクトパッド、第１ソルダー端、複数の第１端子の数量はいずれも四個とされて、USB2.0コネクタを構成し、該複数の第２コンタクトパッド、第２ソルダー端、複数の開放溝及び複数の第２端子の数量はいずれも５個とされて、結合後にUSB3.0コネクタを構成することを特徴とする、USBコネクタ。
【請求項１９】
請求項１６記載のUSBコネクタにおいて、該基板上に、USBコントローラー及び少なくとも一つのフラッシュメモリをさらに具え、それぞれ該複数の第１コンタクトパッド及び複数の第２コンタクトパッドに接続されることを特徴とする、USBコネクタ。
【請求項２０】
請求項１６記載のUSBコネクタにおいて、各該第２端子の一端は、該開放溝より露出した後に、さらに上向きに折り曲げられた後に、さらに下向きに折り曲げられ、且つ該第１端子の前端にさらに第２案内角を具え、且つ該第１案内角及び第２案内角はそれぞれ３０度とされることを特徴とする、USBコネクタ。
【考案の詳細な説明】
【技術分野】
【０００１】
本発明は一種のUSBコネクタに係り、特に一種の、USB2.0協定及びUSB3.0協定を同時にサポートできるものに関する。
【背景技術】
【０００２】
現在、USBインタフェースを具えた周辺装置は、プラグアンドプレイの機能を有するため、販売後、消費者の熱烈な歓迎を受けている。USB2.0協定は、毎秒４８０Ｍバイトの伝送速度を達成する。ただし、マルチメディア技術の発達に伴い、USB2.0協定で２５ＧＢのマルチメディアファイルをダウンロードしたければ、十数分間もかかり、消費者の要求を満足できない恐れがある。このため、終に、USB3.0協定が推し出され、USB3.0協定は毎秒４．８Ｇバイトの伝送速度を提供でき、これにより、２５ＧＢのマルチメディアファイルをダウンロードするのに、それ以前の１０分の１の時間だけが必要である。
【０００３】
ただし、USB2.0協定は現在の主流であり、ほとんどのUSBインタフェースの周辺装置はただUSB2.0協定のみをサポートしている。このため、同時にUSB2.0協定及びUSB3.0協定をサポートできるコネクタをいかに設計するかが、実に重要な課題となっている。
【０００４】
図１Ａ及び図１Ｂを参照されたい。そのうち、図１Ａは、周知のUSBコネクタの、前端に案内角を具備しない基板の表示図である。図１Ｂは、周知のUSBコネクタの基板とUSBプラグの端子の接続時の表示図である。図１Ａに示されるように、周知のUSBコネクタの端子１０は、基板２０の前端に近接し、これにより、基板２０の前端には、端子１０を案内して順調にUSBプラグ３０中に進入させる案内角を設置できる空間がなかった。図１Ｂに示されるように、これにより、端子１０がUSBプラグ３０中に挿入される時、該基板２０前端には案内角がないために、USBプラグ３０の端子３１前端が押し上げられ並びに後方に押圧されて変形しやすく、USBプラグ３０の接触不良を形成する点が、まことに残念な点であった。
【０００５】
上述の周知のUSBコネクタの欠点を鑑み、本考案は一種のUSBコネクタを提供し、上述の欠点を改善する。
【考案の概要】
【考案が解決しようとする課題】
【０００６】
本考案の一つの目的は、一種のUSBコネクタを提供することにあり、その基板前端には案内角があり、USBプラグを挿入し接続する時、該案内角が該基盤の前端を順方向に該USBプラグの端子前端と接触させ、USBプラグの端子前端を押圧することがないものとする。
【０００７】
本考案のまた一つの目的は、一種のUSBコネクタを提供することにあり、それは複数の第１コンタクトパッドと複数の第２コンタクトパッドを具え、且つ該複数の第１コンタクトパッド及び複数の第２コンタクトパッドは、同方向に交錯配置されるか、対向配置されるものとする。
【０００８】
本考案のまた一つの目的は、一種のUSBコネクタを提供することにあり、それは異なる伝送速度のUSB2.0コネクタ及びUSB3.0コネクタを具え、異なる伝送速度の要求のコネクタに符合するものとする。
【０００９】
本考案の一つの目的は、一種のUSBコネクタを提供することにあり、それは厚さが比較的薄く、比較的低い製造コストで、使用時に特定のマシンタイプに限定されない長所を有するものとする。
【課題を解決するための手段】
【００１０】
上述の目的を達成するため、本考案のUSBコネクタは、コネクタ本体と基板を包含する。
該コネクタ本体は、複数の開放溝、複数の第１端子及び複数の第２端子を具え、各二つの該開放溝間は溝柱を有して互いに隔てられ、そのうち、該複数の第１端子の一端は、それぞれ該複数の溝柱の前方に置かれ、且つその側辺はそれぞれ下向きに折り曲げられた後にさらに左向き或いは右向きに折り曲げられて、第１ソルダー端を形成し、該複数の第２端子の一端は、それぞれ該複数の開放溝中を貫通し且つ該開放溝より露出し、他端は下向きに折り曲げられた後にさらに水平方向に延伸されて、第２ソルダー端を形成し、且つ該コネクタ本体の前端は下向きに延伸されてストッパ部を形成し、該ストッパ部に第１案内角を具える。
該基板は、その上に複数の第１コンタクトパッドと複数の第２コンタクトパッドを具え、そのうち、該複数の第１コンタクトパッドは、該基板前端の該第１ソルダー端に対応する位置に位置し、こうして該複数の第１端子の接続に供されて、該複数の第２コンタクトパッドは、該基板後端の、該第２ソルダー端に対応する位置に位置し、こうして該複数の第２端子の接続に供されて、USBコネクタを形成する。
【００１１】
上述の目的を達成するため、本考案のUSBコネクタは、コネクタ本体と基板を包含する。
該コネクタ本体は、複数の開放溝、複数の第１端子及び複数の第２端子を具え、各二つの該開放溝間は溝柱を有して互いに隔てられ、そのうち、該複数の第１端子の一端は、それぞれ該複数の溝柱の下方に置かれ、且つ該複数の溝柱より露出した後にさらに前向きに延伸され、他端はそれぞれ下向きに折り曲げられた後にさらに水平方向に延伸されて、第１ソルダー端を形成し、該複数の第２端子の一端は、該複数の開放溝中に通され且つ該開放溝より露出し、他端はそれぞれ下向きに折り曲げられた後にさらに水平方向に延伸されて第２ソルダー端を形成し、且つ該コネクタ本体の前端は下向きに延伸されてストッパ部を形成し、該ストッパ部に第１案内角を具えている。
該基板は、その上に複数の第１コンタクトパッドと複数の第２コンタクトパッドを具え、そのうち、該複数の第１コンタクトパッドと該複数の第２コンタクトパッドは交錯配置を呈し、これによりそれぞれ該複数の第１端子及び該第２端子との接続に供され、こうしてUSBコネクタを形成する。
【００１２】
上述の目的を達成するため、本考案のUSBコネクタは、コネクタ本体と基板を形成する。
該コネクタ本体は、複数の開放溝、複数の第１端子及び複数の第２端子を具え、各二つの該開放溝間は溝柱を有して互いに隔てられ、そのうち、該複数の第１端子の一端は、それぞれ該複数の溝柱の前方に置かれ、且つその側辺がそれぞれ下向きに折り曲げられた後に、さらに左向き或いは右向きに折り曲げられて、第１ソルダー端を形成し、該複数の第２端子の一端は、それぞれ該複数の開放溝中に通され、且つ該開放溝より露出し、他端はそれぞれ下向きに折り曲げられた後に、さらに水平方向に延伸されて、第２ソルダー端を形成し、且つ該コネクタ本体の前端に第１案内角を具える。
該基板は、その上に複数の第１コンタクトパッドと複数の第２コンタクトパッドを具え、そのうち、該複数の第１コンタクトパッドは該基板前端の、該第１ソルダー端に対応する位置に位置して、該複数の第１端子との接続に供され、該複数の第２コンタクトパッドは、該基板後端の該第２ソルダー端に対応する位置に位置し、これにより該複数の第２端子との接続に供され、こうしてUSBコネクタを形成する。
【００１３】
上述の目的を達成するため、本考案のUSBコネクタは、コネクタ本体と基板を包含する。
該コネクタ本体は、複数の開放溝、複数の第１端子及び複数の第２端子を具え、各二つの該開放溝間は溝柱を有して互いに隔てられ、そのうち、該複数の第１端子の一端は、それぞれ該複数の溝柱の下方に置かれ、且つ該複数の溝柱より露出した後に、さらに前向きに延伸され、他端は、それぞれ下向きに折り曲げられた後に、さらに水平方向に延伸されて、第１ソルダー端を形成し、該複数の第２端子の一端は、それぞれ該複数の開放溝に通され、且つ該開放溝より露出し、他端は、それぞれ下向きに折り曲げられた後にさらに水平方向に延伸されて、第２ソルダー端を形成し、且つ該コネクタ本体の前端に第１案内角を具える。
該基板は、その上に複数の第１コンタクトパッドと複数の第２コンタクトパッドを具え、そのうち、該複数の第１コンタクトパッドと該複数の第２コンタクトパッドは交錯配置を呈し、それぞれ該複数の第１端子及び該複数の第２端子との接続に供され、こうしてUSBコネクタを形成する。
【考案の効果】
【００１４】
総合すると、本考案のUSBコネクタの実施により、以下の長所を有する。
１．異なる伝送速度のUSB2.0コネクタ及びUSB3.0コネクタを具え、これにより異なる伝送速度の需要のUSBコネクタに符合する。
２．基板前端に案内角を具え、USBプラグを差し込む時、該案内角により、該基板の前端が順方向に該USBプラグの端子前端と接触し、USBプラグの端子前端を押圧することがない。
３．複数の第１コンタクトパッド及び複数の第２コンタクトパッドを有し、且つ該複数の第１コンタクトパッド及び複数の第２コンタクトパッドは同方向に配置されるか或いは対向するように配置され得る。
４．厚さが比較的薄く、比較的製造コストが低く、使用時に特定のマシンタイプに限定されない長所を有する。
【図面の簡単な説明】
【００１５】
【図１Ａ】周知のUSBコネクタの、その基板前端に案内角を具備しない構造を示す図である。
【図１Ｂ】周知のUSBコネクタの、基板とUSBプラグの端子の挿入接続時の表示図である。
【図２】本考案の好ましい実施例のUSBコネクタの分解図である。
【図３】本考案の好ましい実施例のコネクタ本体の組合せ表示図である。
【図４】本考案の好ましい実施例のUSBコネクタの 組合せ表示図である。
【図５】本考案の好ましい実施例のUSBコネクタの基板とUSBプラグの端子の接続時の表示図である。
【図６】本考案の別の好ましい実施例のUSBコネクタの分解図である。
【図７】本考案の別の好ましい実施例のコネクタ本体の組合せ表示図である。
【図８】本考案の別の好ましい実施例のUSBコネクタの 組合せ表示図である。
【図９】本考案のまた別の好ましい実施例のUSBコネクタの分解図である。
【図１０】本考案のまた別の好ましい実施例のコネクタ本体の組合せ表示図である。
【図１１】本考案のまた別の好ましい実施例のUSBコネクタの 組合せ表示図である。
【図１２】本考案のさらにまた別の好ましい実施例のUSBコネクタの分解図である。
【図１３】本考案のさらにまた別の好ましい実施例のコネクタ本体の組合せ表示図である。
【図１４】本考案のさらにまた別の好ましい実施例のUSBコネクタの 組合せ表示図である。
【考案を実施するための形態】
【００１６】
本考案の技術内容、構造特徴、達成する目的を詳細に説明するため、以下に実施例を挙げ並びに図面を組み合わせて説明する。
【００１７】
図２から図５を併せて参照されたい。そのうち、図２は本考案の好ましい実施例のUSBコネクタの分解図である。図３は本考案の好ましい実施例のコネクタ本体の組合せ表示図である。図４は本考案の好ましい実施例のUSBコネクタの組合せ表示図である。図５は本考案の好ましい実施例のUSBコネクタの基板とUSBプラグの端子の接続時の表示図である。
【００１８】
図示されるように、本考案のUSBコネクタは、コネクタ本体１００、及び基板２００を組み合わせてなる。
【００１９】
そのうち、該コネクタ本体１００は、絶縁材料、たとえば、これに限定されるわけではないが、プラスチックで形成され、それは、複数の開放溝１０１、複数の第１端子１１０、及び複数の第２端子１２０を具えている。そのうち、各二つの開放溝１０１間は溝柱１０２で相互に隔てられている。
【００２０】
そのうち、該複数の第１端子１１０の一端、たとえば、これに限定されるわけではないが、右端は、それぞれ該複数の溝柱１０２の前方に置かれ、且つその側辺はそれぞれ下向きに折り曲げられた後、さらに左向き或いは右向きに折り曲げられて平面が形成される。
【００２１】
そのうち、右側の二つの第１端子１１０は右向きに折り曲げられ、左側の二つの第１端子１１０は左向きに折り曲げられて、それぞれ第１ソルダー端１１１を形成する。
【００２２】
そのうち、該複数の第１端子１１０は該複数の溝柱１０２の数量と同じとされ、たとえば、これに限定されるわけではないが、四個とされる。
【００２３】
該複数の第２端子１２０の一端、たとえば、これに限定されるわけではないが、右端は、それぞれ該複数の開放溝１０１中に通され且つ該開放溝１０１より露出し、他端は、たとえば、これに限定されるわけではないが、左端は、下向きに折り曲げられた後、さらに水平方向に延伸されて、第２ソルダー端１２１を形成し、且つ該コネクタ本体１００の前端は下向きに延伸されてストッパ部１３０が形成される。該ストッパ部１３０には第１案内角１３１があり、該第１案内角１３１は、たとえば、これに限定されるわけではないが、３０度角とされる。
【００２４】
該ストッパ部１３０は、該基板２００に当接し、位置決めし、該複数の第１コンタクトパッド２１０及び第２コンタクトパッド２２０を、該複数の第１端子１１０の第１ソルダー端１１１及び該複数の第２端子１２０の第２ソルダー端１２１とアラインさせ、且つ該複数の第２端子１２０は該複数の開放溝１０１の数量と同じとされ、たとえば、これに限定されるわけではないが、５個とされる。
【００２５】
このほか、各該第２端子１２０の一端は、該開放溝１０１より露出した後に、さらに上向きに折り曲げられた後に、さらに下向きに折り曲げられる。
【００２６】
該基板２００上には、複数の第１コンタクトパッド２１０と複数の第２コンタクトパッド２２０があり、それぞれ該基板２００より露出している。そのうち、該複数の第１コンタクトパッド２１０は、該基板２００前端の、該第１ソルダー端１１１に対応する位置に位置し、これにより、該複数の第１端子１１０との接続に供され、該複数の第２コンタクトパッド２２０は、該基板２００の後端の、該第２ソルダー端１２１に対応する位置に位置し、これにより、該複数の第２端子１２０との接続に供され、こうして、USBコネクタが形成される。
【００２７】
このほか、該第１端子１１０の前端に、さらに第２案内角１４０が設けられ、且つ該第２案内角１４０は、たとえば、これに限定されるわけではないが、３０度とされる。
【００２８】
このほか、該基板２００は、たとえば、これに限定されるわけではないが、チップオンボード（Ｃｈｉｐ−Ｏｎ−Ｂｏａｒｄ，略称ＣＯＢ）基板或いはプリント基板とされ、本実施例では、チップオンボード基板を例として説明しているが、これに限定されるわけではない。チップオンボード技術は、厚さが薄く、線路が密集し及び面積が小さい長所を有しており、これにより、ＬＣＤ駆動チップ或いはＮＡＮＤ型フラッシュメモリのパッケージ上、非常に歓迎されている。
【００２９】
該複数の第１コンタクトパッド２１０の数量は、たとえば、これに限定されるわけではないが、４個とされて、USB2.0コネクタを構成し、それは、それぞれ、ＶBUS、Ｄ−、Ｄ＋、及びＧＮＤ等の、四つのUSB2.0規格の信号を伝送できる。
【００３０】
該複数の第２コンタクトパッド２２０の数量は、たとえば、これに限定されるわけではないが、５個とされ、それはそれぞれ、ＳｔｄＡ＿ＳＳＲＸ−、ＳｔｄＡ＿ＳＳＲＸ＋、ＧＮＤ＿ＤＲＡＩＮ、ＳｔｄＡ＿ＳＳＴＸ−、ＳｔｄＡ＿ＳＳＴＸ＋の、５個のUSB3.0規格の信号を伝送できる。
【００３１】
このほか、本考案のUSBコネクタは、該基板２００上にさらに、USBコントローラー２３０及び少なくとも一つのフラッシュメモリ２４０を具え、それぞれ該複数の第１コンタクトパッド２１０及び該複数の第２コンタクトパッド２２０に接続され、該USBコントローラー２３０及びフラッシュメモリ２４０は、ＣＯＢ技術で該基板２００上に実装され、それは周知の技術であり、且つ本考案の重点ではないため、ここでは詳しく説明しない。
【００３２】
図３及び図４に示されるように、製造時には、まず、該複数の第１端子１１０を該複数の第２端子１２０の前端に置き、さらに、該コネクタ本体１００と一体成形の方式で製造する。その後、さらに、該コネクタ本体１００を該基板２００の上に置き、該基板２００の一端を該ストッパ部１３０に当接させ、該複数の第１端子１１０の第１ソルダー端１１１及び該複数の第２端子１２０の第２ソルダー端１２１を、それぞれ複数の第１コンタクトパッド２１０と複数の第２コンタクトパッド２２０とアラインさせ、さらにそれぞれ表面実装技術（Ｓｕｒｆａｃｅ  Ｍｏｕｎｔ  Ｔｅｃｈｎｏｌｏｇｙ，略称ＳＭＴ）で該複数の第１コンタクトパッド２１０及び複数の第２コンタクトパッド２２０上にソルダリングし、こうしてUSBコネクタを形成する。
【００３３】
こうして、本考案のUSBコネクタ上の四つの第１端子１１０は、USB2.0コネクタを構成でき、該USBコネクタの５個の第２端子１２０は、USB3.0コネクタを形成でき、それぞれUSB2.0プラグ及びUSB3.0プラグの挿入、接続に供される。
【００３４】
これにより、本考案のUSBコネクタは、周知の技術のUSBコネクタに較べて、基板がUSBプラグの端子前端を押圧せず、厚さが比較的薄く、比較的低い製造コストであり、使用時に特定のマシンタイプに限定されないという長所を有する。
【００３５】
図５に示されるように、本考案のUSBコネクタとUSBプラグ３００が接続される時、該第１案内角１３１及び該第２案内角１４０の案内により、該基板２００の前端は、順方向に該USBプラグ３００の端子３１０前端と接触し、該USBプラグ３００の端子３１０前端を押圧しない。これにより、本考案のUSBコネクタと該USBプラグ３００の接触はさらに順調となり、並びに周知の技術のUSBコネクタの欠点を改善できる。
【００３６】
併せて図６から図８を参照されたい。そのうち、図６は本考案の別の好ましい実施例のUSBコネクタの分解図である。図７は本考案の別の好ましい実施例のコネクタ本体の組合せ表示図である。図８は本考案の別の好ましい実施例のUSBコネクタの組合せ表示図である。
【００３７】
図示されるように、本考案のUSBコネクタは、コネクタ本体４００、及び基板５００を組み合わせてなる。
【００３８】
そのうち、該コネクタ本体４００は、絶縁材料、たとえば、これに限定されるわけではないが、プラスチックで形成され、それは、複数の開放溝４０１、複数の第１端子４１０、及び複数の第２端子４２０を具えている。そのうち、各二つの開放溝４０１間は溝柱４０２で相互に隔てられている。
【００３９】
そのうち、該複数の第１端子４１０の一端、たとえば、これに限定されるわけではないが、右端は、それぞれ該複数の溝柱４０２の下方に置かれ、且つ該複数の溝柱４０２より露出した後にさらに前向きに延伸され、他端、たとえば、これに限定されるわけではないが、左端は、それぞれ下向きに折り曲げられた後に、さらに水平方向に延伸されて、第１ソルダー端４１１を形成する。
【００４０】
そのうち、該複数の第１端子４１０は、該複数の溝柱４０２の数量と同じとされ、たとえば、これに限定されるわけではないが、四つとされる。
【００４１】
このほか、該コネクタ本体４００の前端は下向きに延伸されてストッパ部４３０を形成し、該ストッパ部４３０上に、第１案内角４３１を具えている。そのうち、該ストッパ部４３０は、該基板５００に当接して位置決めし、該第１案内角４３１は、たとえば、これに限定されるわけではないが、３０度角とされる。
【００４２】
該複数の第２端子４２０の一端、たとえば、これに限定されるわけではないが、右端は、該複数の開放溝４０１中に通され且つ該開放溝４０１より露出し、他端、たとえば、これに限定されるわけではないが、左端は、下向きに折り曲げられた後に、さらに水平方向に延伸されて、第２ソルダー端４２１を形成する。そのうち、該複数の第２端子４２０は 、該複数の開放溝４０１の数量と同じとされ、たとえば、これに限定されるわけではないが、５個とされる。
【００４３】
このほか、各該第２端子４２０の一端は、該開放溝４０１より露出した後に、さらに上向きに折り曲げられた後に、さらに下向きに折り曲げられる。
【００４４】
該基板５００上には、複数の第１コンタクトパッド５１０と複数の第２コンタクトパッド５２０があり、該複数の第１コンタクトパッド５１０と該複数の第２コンタクトパッド５２０は該基板５００より露出し、該複数の第１コンタクトパッド５１０と該複数の第２コンタクトパッド５２０は交錯配置を呈する。該複数の第１コンタクトパッド５１０と該複数の第２コンタクトパッド５２０はそれぞれ該複数の第１端子４１０の第１ソルダー端４１１及び該複数の第２端子４２０の第２ソルダー端４２１とのソルダリングに供される。
【００４５】
このほか、該第１端子４１０の前端に、さらに第２案内角４４０が設けられ、且つ該第２案内角４４０は、たとえば、これに限定されるわけではないが、３０度とされる。
【００４６】
該第１案内角４３１と該第２案内角４４０の機能は上述の第１案内角１３１と第２案内角１４０と同じであるため、ここで重複した説明は行わない。
【００４７】
このほか、該基板５００は、たとえば、これに限定されるわけではないが、チップオンボード基板或いはプリント基板とされ、本実施例では、チップオンボード基板を例として説明しているが、これに限定されるわけではない。チップオンボード技術は、厚さが薄く、線路が密集し及び面積が小さい長所を有しており、これにより、ＬＣＤ駆動チップ或いはＮＡＮＤ型フラッシュメモリのパッケージ上、非常に歓迎されている。
【００４８】
該複数の第１コンタクトパッド５１０の数量は、たとえば、これに限定されるわけではないが、４個とされて、USB2.0コネクタを構成し、それは、それぞれ、ＶBUS、Ｄ−、Ｄ＋、及びＧＮＤ等の、四つのUSB2.0規格の信号を伝送できる。
【００４９】
該複数の第２コンタクトパッド５２０と該複数の第１コンタクトパッド５１０は交錯配置を呈する。その数量は、たとえば、これに限定されるわけではないが、５個とされ、それはそれぞれ、ＳｔｄＡ＿ＳＳＲＸ−、ＳｔｄＡ＿ＳＳＲＸ＋、ＧＮＤ＿ＤＲＡＩＮ、ＳｔｄＡ＿ＳＳＴＸ−、ＳｔｄＡ＿ＳＳＴＸ＋の、５個のUSB3.0規格の信号を伝送できる。
【００５０】
このほか、本考案のUSBコネクタは、該基板５００上にさらに、USBコントローラー５３０及び少なくとも一つのフラッシュメモリ５４０を具え、それぞれ該複数の第１コンタクトパッド５１０及び該複数の第２コンタクトパッド５２０に接続され、該USBコントローラー５３０及びフラッシュメモリ５４０は、ＣＯＢ技術で該基板５００上に実装され、それは周知の技術であり、且つ本考案の重点ではないため、ここでは詳しく説明しない。
【００５１】
図７及び図８に示されるように、製造時には、まず、該複数の第１端子４１０及び該複数の第２端子４２０を、交錯方式で配列し、さらに該コネクタ本体４００と一体成形の方式で製造する。その後、さらに、該コネクタ本体４００を該基板５００の上に置き、該基板５００の一端を該ストッパ部４３０に当接させ、該複数の第１端子４１０の第１ソルダー端４１１及び該複数の第２端子４２０の第２ソルダー端４２１を、それぞれ複数の第１コンタクトパッド５１０と複数の第２コンタクトパッド５２０とアラインさせ、さらにそれぞれ表面実装技術で該複数の第１コンタクトパッド５１０及び複数の第２コンタクトパッド５２０上にソルダリングし、こうしてUSBコネクタを形成する。
【００５２】
こうして、本考案のUSBコネクタ上の四つの第１端子４１０は、USB2.0コネクタを構成でき、該USBコネクタの５個の第２端子４２０は、USB3.0コネクタを形成でき、それぞれUSB2.0プラグ及びUSB3.0プラグの挿入、接続に供される。
【００５３】
これにより、本考案のUSBコネクタは、周知の技術のUSBコネクタに較べて、基板がUSBプラグの端子前端を押圧せず、厚さが比較的薄く、比較的低い製造コストであり、使用時に特定のマシンタイプに限定されないという長所を有する。
【００５４】
併せて図９から図１１を参照されたい。そのうち、図９は本考案のまた別の好ましい実施例のUSBコネクタの分解図である。図１０は本考案のまた別の好ましい実施例のコネクタ本体の組合せ表示図である。図１１は本考案のまた別の好ましい実施例のUSBコネクタの組合せ表示図である。
【００５５】
図示されるように、本考案のUSBコネクタは、コネクタ本体６００、及び基板７００を組み合わせてなる。
【００５６】
そのうち、該コネクタ本体６００は、絶縁材料、たとえば、これに限定されるわけではないが、プラスチックで形成され、それは、複数の開放溝６０１、複数の第１端子６１０、及び複数の第２端子６２０を具えている。そのうち、各二つの開放溝６０１間は溝柱６０２で相互に隔てられている。
【００５７】
そのうち、該複数の第１端子６１０の一端、たとえば、これに限定されるわけではないが、右端は、それぞれ該複数の溝柱６０２の前方に置かれ、且つその側辺はそれぞれ下向きに折り曲げられた後、さらに左向き或いは右向きに折り曲げられて平面を形成する。
【００５８】
そのうち、右側の二つの第１端子６１０は右向きに折り曲げられ、左側の二つの第１端子６１０は左向きに折り曲げられて、それぞれ第１ソルダー端６１１を形成する。
【００５９】
そのうち、該複数の第１端子６１０は該複数の溝柱６０２の数量と同じとされ、たとえば、これに限定されるわけではないが、四個とされる。
【００６０】
該複数の第２端子６２０の一端、たとえば、これに限定されるわけではないが、右端は、それぞれ該複数の開放溝６０１中に通され且つ該開放溝６０１より露出し、他端、たとえば、これに限定されるわけではないが、左端は、下向きに折り曲げられた後、さらに水平方向に延伸されて、第２ソルダー端６２１を形成し、且つ該コネクタ本体６００の前端には第１案内角６３１があり、該第１案内角６３１は、たとえば、これに限定されるわけではないが、３０度角とされる。該複数の第２端子６２０は、該複数の開放溝６０１の数量と同じとされ、たとえば、これに限定されるわけではないが、５個とされる。
【００６１】
このほか、各該第２端子６２０の一端は、該開放溝６０１より露出した後にさらに上向きに折り曲げられた後に、さらに下向きに折り曲げられる。
【００６２】
該基板７００上には、複数の第１コンタクトパッド７１０と複数の第２コンタクトパッド７２０があり、それぞれ該基板７００より露出している。そのうち、該複数の第１コンタクトパッド７１０は、該基板７００前端の、該第１ソルダー端６１１に対応する位置に位置し、これにより、該複数の第１端子６１０との接続に供され、該複数の第２コンタクトパッド７２０は、該基板７００の後端の、該第２ソルダー端６２１に対応する位置に位置し、これにより、該複数の第２端子６２０との接続に供され、こうして、USBコネクタが形成される。
【００６３】
このほか、該基板７００は、たとえば、これに限定されるわけではないが、チップオンボード基板或いはプリント回路板とされ、本実施例では、チップオンボード基板を例として説明しているが、これに限定されるわけではなく、チップオンボード技術は、厚さが薄く、線路が密集し及び面積が小さい長所を有しており、これにより、ＬＣＤ駆動チップ或いはＮＡＮＤ型フラッシュメモリのパッケージ上、非常に歓迎されている。
【００６４】
該複数の第１コンタクトパッド７１０の数量は、たとえば、これに限定されるわけではないが、４個とされて、USB2.0コネクタを構成し、それは、それぞれ、ＶBUS、Ｄ−、Ｄ＋、及びＧＮＤ等の、四つのUSB2.0規格の信号を伝送できる。
【００６５】
該複数の第２コンタクトパッド７２０の数量は、たとえば、これに限定されるわけではないが、５個とされ、それはそれぞれ、ＳｔｄＡ＿ＳＳＲＸ−、ＳｔｄＡ＿ＳＳＲＸ＋、ＧＮＤ＿ＤＲＡＩＮ、ＳｔｄＡ＿ＳＳＴＸ−、ＳｔｄＡ＿ＳＳＴＸ＋の、５個のUSB3.0規格の信号を伝送できる。
【００６６】
このほか、該第１端子６１０の前端に、さらに第２案内角６４０が設けられ、且つ該第２案内角６４０は、たとえば、これに限定されるわけではないが、３０度とされる。該第１案内角６３１及び該第２案内角６４０の機能は、上述の第１案内角１３１及び第２案内角１４０と同じであるため、ここでは重複して説明しない。
【００６７】
このほか、本考案のUSBコネクタは、該基板７００上にさらに、USBコントローラー７３０及び少なくとも一つのフラッシュメモリ７４０を具え、それぞれ該複数の第１コンタクトパッド７１０及び該複数の第２コンタクトパッド７２０に接続され、該USBコントローラー７３０及びフラッシュメモリ７４０は、ＣＯＢ技術で該基板７００上に実装され、それは周知の技術であり、且つ本考案の重点ではないため、ここでは詳しく説明しない。
【００６８】
図１０及び図１１に示されるように、製造時には、まず、該複数の第１端子６１０を該複数の第２端子６２０の前端に置き、さらに、該コネクタ本体６００と一体成形の方式で製造する。その後、さらに、該コネクタ本体６００を該基板７００の上に置き、該基板７００の前端を該コネクタ本体６００の前端と揃え、これにより、該複数の第１端子６１０の第１ソルダー端６１１及び該複数の第２端子６２０の第２ソルダー端６２１を、それぞれ複数の第１コンタクトパッド７１０及び複数の第２コンタクトパッド７２０とアラインさせ、さらに、それぞれ表面実装技術で、該複数の第１コンタクトパッド７１０と該複数の第２コンタクトパッド７２０にソルダリングし、こうして本考案のUSBコネクタを形成する。
【００６９】
こうして、本考案のUSBコネクタ上の四つの第１端子６１０は、USB2.0コネクタを構成でき、該USBコネクタの５個の第２端子６２０は、USB3.0コネクタを形成でき、それぞれUSB2.0プラグ及びUSB3.0プラグの挿入、接続に供される。
【００７０】
これにより、本考案のUSBコネクタは、周知の技術のUSBコネクタに較べて、基板がUSBプラグの端子前端を押圧せず、厚さが比較的薄く、比較的低い製造コストであり、使用時に特定のマシンタイプに限定されないという長所を有する。
【００７１】
併せて図１２から図１４を参照されたい。そのうち、図１２は本考案のさらに別の好ましい実施例のUSBコネクタの分解図である。図１３は本考案のさらに別の好ましい実施例のコネクタ本体の組合せ表示図である。図１４は本考案のさらに別の好ましい実施例のUSBコネクタの組合せ表示図である。
【００７２】
図示されるように、本考案のUSBコネクタは、コネクタ本体８００、及び基板９００を組み合わせてなる。
【００７３】
そのうち、該コネクタ本体８００は、絶縁材料、たとえば、これに限定されるわけではないが、プラスチックで形成され、それは、複数の開放溝８０１、複数の第１端子８１０、及び複数の第２端子８２０を具えている。そのうち、各二つの開放溝８０１間は溝柱８０２で相互に隔てられている。
【００７４】
そのうち、該複数の第１端子８１０の一端、たとえば、これに限定されるわけではないが、右端は、それぞれ該複数の溝柱８０２の下方に置かれ、且つ該複数の溝柱８０２より露出した後にさらに前向きに延伸され、他端、たとえば、これに限定されるわけではないが、左端は、それぞれ下向きに折り曲げられた後に、さらに水平方向に延伸されて、第１ソルダー端８１１を形成する。
【００７５】
そのうち、該複数の第１端子８１０は、該複数の溝柱８０２の数量と同じとされ、たとえば、これに限定されるわけではないが、四つとされる。
【００７６】
このほか、該コネクタ本体８００の前端は第１案内角８３１を具え、該第１案内角８３１は、たとえば、これに限定されるわけではないが、３０度角とされる。
【００７７】
該複数の第２端子８２０の一端、たとえば、これに限定されるわけではないが、右端は、該複数の開放溝８０１中に通され且つ該開放溝８０１より露出し、他端、たとえば、これに限定されるわけではないが、左端は、下向きに折り曲げられた後に、さらに水平方向に延伸されて、第２ソルダー端８２１を形成する。そのうち、該複数の第２端子８２０は 、該複数の開放溝８０１の数量と同じとされ、たとえば、これに限定されるわけではないが、５個とされる。
【００７８】
このほか、各該第２端子８２０の一端は、該開放溝８０１より露出した後に、さらに上向きに折り曲げられた後に、さらに下向きに折り曲げられる。
【００７９】
該基板９００上には、複数の第１コンタクトパッド９１０と複数の第２コンタクトパッド９２０があり、該複数の第１コンタクトパッド９１０と該複数の第２コンタクトパッド９２０は該基板９００より露出し、且つ該複数の第１コンタクトパッド９１０及び該複数の第２コンタクトパッド９２０は、たとえば、これに限定されるわけではないが、交錯配置を呈する。
【００８０】
該複数の第１コンタクトパッド９１０と該複数の第２コンタクトパッド９２０はそれぞれ該複数の第１端子８１０の第１ソルダー端８１１及び該複数の第２端子８２０の第２ソルダー端８２１とのソルダリングに供される。
【００８１】
このほか、該基板９００は、たとえば、これに限定されるわけではないが、チップオンボード基板或いはプリント基板とされ、本実施例では、チップオンボード基板を例として説明しているが、これに限定されるわけではない。チップオンボード技術は、厚さが薄く、線路が密集し及び面積が小さい長所を有しており、これにより、ＬＣＤ駆動チップ或いはＮＡＮＤ型フラッシュメモリのパッケージ上、非常に歓迎されている。
【００８２】
該複数の第１コンタクトパッド９１０の数量は、たとえば、これに限定されるわけではないが、４個とされて、USB2.0コネクタを構成し、それは、それぞれ、ＶBUS、Ｄ−、Ｄ＋、及びＧＮＤ等の、四つのUSB2.0規格の信号を伝送できる。
【００８３】
該複数の第２コンタクトパッド９２０と該複数の第１コンタクトパッド９１０は交錯配置を呈する。その数量は、たとえば、これに限定されるわけではないが、５個とされ、それはそれぞれ、ＳｔｄＡ＿ＳＳＲＸ−、ＳｔｄＡ＿ＳＳＲＸ＋、ＧＮＤ＿ＤＲＡＩＮ、ＳｔｄＡ＿ＳＳＴＸ−、ＳｔｄＡ＿ＳＳＴＸ＋の、５個のUSB3.0規格の信号を伝送できる。
【００８４】
このほか、該第１端子８１０の前端に、さらに第２案内角８４０が設けられ、且つ該第２案内角８４０は、たとえば、これに限定されるわけではないが、３０度とされる。該第１案内角８３１及び該第２案内角８４０の機能は、上述の第１案内角１３１及び第２案内角１４０と同じであるため、ここでは重複して説明しない。
【００８５】
このほか、本考案のUSBコネクタは、該基板９００上にさらに、USBコントローラー９３０及び少なくとも一つのフラッシュメモリ９４０を具え、それぞれ該複数の第１コンタクトパッド９１０及び該複数の第２コンタクトパッド９２０に接続され、該USBコントローラー９３０及びフラッシュメモリ９４０は、ＣＯＢ技術で該基板９００上に実装され、それは周知の技術であり、且つ本考案の重点ではないため、ここでは詳しく説明しない。
【００８６】
図１３及び図１４に示されるように、製造時には、まず、該複数の第１端子８１０及び該複数の第２端子８２０を、交錯方式で配列し、さらに、該コネクタ本体８００と一体成形の方式で製造する。その後、さらに、該コネクタ本体８００を該基板９００の上に置き、該複数の第１端子８１０の第１ソルダー端８１１及び該複数の第２端子８２０の第２ソルダー端８２１を、それぞれ複数の第１コンタクトパッド９１０及び複数の第２コンタクトパッド９２０とアラインさせ、さらに、それぞれ表面実装技術で、該複数の第１コンタクトパッド９１０と該複数の第２コンタクトパッド９２０にソルダリングし、こうして本考案のUSBコネクタの四つの第１端子８１０がUSB2.0コネクタを構成でき、該USBコネクタの５個の第２端子８２０がUSB3.0コネクタを構成し、それぞれ、USB2.0プラグ或いはUSB3.0プラグの挿入、接続に供される。
【００８７】
これにより、本考案のUSBコネクタは、周知の技術のUSBコネクタに較べて、基板がUSBプラグの端子前端を押圧せず、厚さが比較的薄く、比較的低い製造コストであり、使用時に特定のマシンタイプに限定されないという長所を有する。
【００８８】
これにより、本考案に提示されているものは、すなわち好ましい実施例であって、局部の変更或いは修飾であって、本考案の技術思想に基づき本考案の属する技術の分野における通常の知識を有する者が容易に推知できるものは、本考案の権利範疇に属する。
【００８９】
総合すると、本考案はその目的、手段、機能のいずれにおいても、周知の技術特徴とは異なっており、且つ新規な創造であって、実用に符合し、すなわち実用新案登録の要件に符合する。
【符号の説明】
【００９０】
１０  端子
２０  基板
３０  USBプラグ
３１  端子
１００  コネクタ本体
１０１  開放溝
１０２  溝柱
１１０  第１端子
１１１  第１ソルダー端
１２０  第２端子
１２１  第２ソルダー端
１３０  ストッパ部
１３１  第１案内角
１４０  第２案内角
２００  基板
２１０  第１コンタクトパッド
２２０  第２コンタクトパッド
２３０  USBコントローラー
２４０  フラッシュメモリ
３００  USBプラグ
３１０  端子
４００  コネクタ本体
４０１  開放溝
４０２  溝柱
４１０  第１端子
４１１  第１ソルダー端
４２０  第２端子
４２１  第２ソルダー端
４３０  ストッパ部
４３１  第１案内角
４４０  第２案内角
５００  基板
５１０  第１コンタクトパッド
５２０  第２コンタクトパッド
５３０  USBコントローラー
５４０  フラッシュメモリ
６００  コネクタ本体
６０１  開放溝
６０２  溝柱
６１０  第１端子
６１１  第１ソルダー端
６２１  第２ソルダー端
６３０  ストッパ部
６３１  第１案内角
６４０  第２案内角
７００  基板
７１０  第１コンタクトパッド
７２０  第２コンタクトパッド
７３０  USBコントローラー
７４０  フラッシュメモリ
８００  コネクタ本体
８０１  開放溝
８０２  溝柱
８１０  第１端子
８１１  第１ソルダー端
８２０  第２端子
８３１  第１案内角
８４０  第２案内角
９００  基板
９１０  第１コンタクトパッド
９２０  第２コンタクトパッド
９３０  USBコントローラー
９４０  フラッシュメモリ
【図１Ａ】
0003181578.tif 000003
【図１Ｂ】
0003181578.tif 000004
【図２】
0003181578.tif 000005
【図３】
0003181578.tif 000006
【図４】
0003181578.tif 000007
【図５】
0003181578.tif 000008
【図６】
0003181578.tif 000009
【図７】
0003181578.tif 000010
【図８】
0003181578.tif 000011
【図９】
0003181578.tif 000012
【図１０】
0003181578.tif 000013
【図１１】
0003181578.tif 000014
【図１２】
0003181578.tif 000015
【図１３】
0003181578.tif 000016
【図１４】
0003181578.tif 000017